(57)【要約】【課題】  ユーザの手によって表示画面上の画像が隠されるのを防止するとともに、タッチパネルに誤ってユーザの手が触れたことによる誤動作を防止できる表示装置、及びこの表示装置を備える撮像装置を提供する。【解決手段】  まず、ユーザによってカメラ１０が把持されると、グリップ部１８又はレリーズスイッチ２０に配設されたタッチセンサ３２によって、ユーザによって把持されたことが検出される（ステップＳ１０）。すると、液晶モニタ２８においてグリップ部１８の裏側にあたる部分（すなわち、グリップ部１８が把持されたときにユーザの指があたる部分）に重ならないように、画像表示領域１１４が変更される（ステップＳ１２）。これにより、液晶モニタ２８に表示される画像がユーザの手や指によって隠されてしまうことを防止でき、画像の視認性が向上する。【選択図】      図５
2007028512.tif 000002
【特許請求の範囲】
【請求項１】
ユーザが把持するためのグリップ部を備える機器筐体と、
前記機器筐体の表面に配設された表示画面を有し、前記表示画面に画像を表示する画像表示手段と、
ユーザによって前記機器筐体が把持されたことを検出する検出手段と、
前記検出手段によって前記機器筐体が把持されたことが検出された場合に、前記ユーザの手によって表示画面上に表示された画像が隠されないように、前記表示画面上における画像の表示領域を変更する制御手段と、
を備えることを特徴とする表示装置。
【請求項２】
前記検出手段は、前記機器筐体のグリップ部に配設されることを特徴とする請求項１記載の表示装置。
【請求項３】
前記表示画面上においてユーザの手の位置を検出する手位置検出手段を更に備え、
前記手位置検出手段は、前記検出手段によって前記機器筐体が把持されたことが検出された場合に、前記表示画面上におけるユーザの手の位置を検出し、
前記制御手段は、前記検出されたユーザの手の位置を避けて画像を表示することを特徴とする請求項１又は２記載の表示装置。
【請求項４】
前記手位置検出手段は、前記表示画面に配設され、前記ユーザからの操作入力を受け付けるタッチパネルであることを特徴とする請求項３記載の表示装置。
【請求項５】
前記制御手段は、前記検出手段によって前記機器筐体が把持されたことが検出された場合に、前記タッチパネルからの操作入力を無効とすることを特徴とする請求項４記載の表示装置。
【請求項６】
前記制御手段は、前記表示装置がクレードルと接続された場合に、前記タッチパネルからの操作入力を有効とすることを特徴とする請求項４又は５記載の表示装置。
【請求項７】
請求項１から６のいずれか１項記載の表示装置と、
画像を撮像する撮像手段と、
前記撮像手段に撮像の指示を入力するためのレリーズスイッチとを備え、
前記検出手段は、前記レリーズスイッチに配設されることを特徴とする撮像装置。
【発明の詳細な説明】
【技術分野】
【０００１】
本発明は表示装置及び撮像装置に関する。
【背景技術】
【０００２】
デジタルカメラ等の電子カメラや、カメラ付き携帯電話、携帯情報端末（ＰＤＡ）等の機器においては、液晶モニタ等の表示画面が設けられ、撮影前のスルー画像や、撮影した画像をその表示画面に表示することができる。また、この液晶モニタの表面に操作入力を行うためのタッチパネルが配設された携帯端末が開発されている（例えば、特許文献１）。
【０００３】
ところで、近年、上記のような機器の小型化が急速に進んでいるが、液晶モニタについては、迫力のある見やすい画像を映し出すため、より大きな画面サイズが望まれている。このため、上記のような機器において、大画面の液晶モニタを搭載され、機器筐体のサイズに対してモニタの占める割合が大きくなると、撮影時に機器を握ることができる部分（グリップ部）が小さくなり、ユーザが機器を保持しにくくなるという欠点がある。また、機器を把持する手で液晶モニタの画面を覆ってしまい、映像の一部が見えなくなるという問題がある。このような問題を解決するため、特許文献２には、再生時に大画面モニタで迫力のある画像の再生を可能にする一方、撮影時にカメラを把持する手によって映像が隠されず、画像全体を確認することができるモニタ付きカメラについて開示されている。
【特許文献１】特開２００１−６９２３５号公報
【特許文献２】特開平１１−２８９４８４号公報（段落００１８等）
【発明の開示】
【発明が解決しようとする課題】
【０００４】
しかしながら、上記の特許文献１に開示されたカメラは、モードスイッチによってカメラのモードが撮影モードに切り換えられた場合に、画像表示領域の大きさを変更するものであって、本発明とは構成を異にするものである。また、液晶モニタの表面にタッチパネルが設けられているため、カメラを把持する手がこのタッチパネルに触れた場合に、ユーザの意志に反して操作入力が行われてしまうおそれがあった。
【０００５】
本発明はこのような事情に鑑みてなされたもので、ユーザの手によって表示画面上の画像が隠されるのを防止するとともに、タッチパネルに誤ってユーザの手が触れたことによる誤動作を防止できる表示装置、及びこの表示装置を備える撮像装置を提供することを目的とする。
【課題を解決するための手段】
【０００６】
上記目的を達成するために請求項１に係る表示装置は、ユーザが把持するためのグリップ部を備える機器筐体と、前記機器筐体の表面に配設された表示画面を有し、前記表示画面に画像を表示する画像表示手段と、ユーザによって前記機器筐体が把持されたことを検出する検出手段と、前記検出手段によって前記機器筐体が把持されたことが検出された場合に、前記ユーザの手によって表示画面上に表示された画像が隠されないように、前記表示画面上における画像の表示領域を変更する制御手段とを備えることを特徴とする。
【０００７】
請求項１に係る表示装置によれば、機器筐体が把持された場合に表示画面上のユーザの手が当たる部分に画像を表示させないことで、画像の視認性を向上できる。
【０００８】
請求項２に係る表示装置は、請求項１において、前記検出手段は、前記機器筐体のグリップ部に配設されることを特徴とする。請求項２は、検出手段の配設される場所を限定したものである。
【０００９】
請求項３に係る表示装置は、請求項１又は２において、前記表示画面上においてユーザの手の位置を検出する手位置検出手段を更に備え、前記手位置検出手段は、前記検出手段によって前記機器筐体が把持されたことが検出された場合に、前記表示画面上におけるユーザの手の位置を検出し、前記制御手段は、前記検出されたユーザの手の位置を避けて画像を表示することを特徴とする。
【００１０】
請求項３に係る表示装置によれば、表示画面上におけるユーザの手の位置を検出するため、画像が手に隠されてしまうのをより確実に防止できる。
【００１１】
請求項４に係る表示装置は、請求項３において、前記手位置検出手段は、前記表示画面に配設され、前記ユーザからの操作入力を受け付けるタッチパネルであることを特徴とする。請求項４は、請求項３の手位置検出手段をタッチパネルに限定したものである。
【００１２】
請求項５に係る表示装置は、請求項４において、前記制御手段は、前記検出手段によって前記機器筐体が把持されたことが検出された場合に、前記タッチパネルからの操作入力を無効とすることを特徴とする。
【００１３】
請求項５に係る表示装置によれば、表示装置が把持された際に、ユーザの手がタッチパネルに誤って触れて誤動作を起こすのを防止できる。
【００１４】
請求項６に係る表示装置は、請求項４又は５において、前記制御手段は、前記表示装置がクレードルと接続された場合に、前記タッチパネルからの操作入力を有効とすることを特徴とする。
【００１５】
請求項６に係る表示装置によれば、クレードル接続時のタッチパネル操作が容易になる。
【００１６】
請求項７に係る撮像装置は、請求項１から６のいずれか１項記載の表示装置と、画像を撮像する撮像手段と、前記撮像手段に撮像の指示を入力するためのレリーズスイッチとを備え、前記検出手段は、前記レリーズスイッチに配設されることを特徴とする。
【００１７】
請求項７に係る撮像装置によれば、ユーザが撮像装置を構えた場合に、表示画面上の画像がユーザの手に隠されてしまうのを防止できる。
【発明の効果】
【００１８】
本発明によれば、機器筐体が把持された場合に表示画面上のユーザの手が当たる部分に画像を表示させないことで、画像の視認性を向上できる。
【発明を実施するための最良の形態】
【００１９】
以下、添付図面に従って本発明に係る表示装置及び撮像装置の好ましい実施の形態について説明する。なお、以下の説明では、本発明の表示装置を撮像装置（デジタルカメラ）に適用した例について説明するが、本発明はこれに限定されるものではなく、携帯電話や携帯情報端末（ＰＤＡ）、タブレットＰＣ等の画像表示用のモニタや、タッチパネルを備える機器に適用可能である。
【００２０】
図１は本発明の一実施形態に係る撮像装置の正面の外観図であり、図２はその背面の外観図である。図１に示されているように、撮像装置（カメラ）１０の正面には撮像部１２が設けられ、撮影レンズ１４の後方に図示せぬＣＣＤ（撮像素子）が配置される。撮影レンズ１４の詳細な構成は図示されていないが、例えば、変倍群と補正群とから成るリヤフォーカス式ズームレンズが用いられる。
【００２１】
この撮像部１２を含む筐体１６の図１における左側の部分は、ユーザが右手でカメラを把持し易いようにグリップ部１８が形成され、筐体１６の上面にレリーズスイッチ２０、及びコマ送り／コマ戻しボタン２２が配置される。なお、筐体１６の正面右上隅部にはストロボ（補助発光部）２４が設けられている。
【００２２】
また、上記の筐体１６の上面には、主電源のＯＮ／ＯＦＦ切り換えを行う電源スイッチ２６が配置される。電源スイッチ２６は、モード設定スイッチとしての役割を兼ねている。電源スイッチ２６のツマミは図の左右方向に摺動自在のスライドスイッチで構成されており、ツマミを左方向に移動させる毎に「撮影モード」、「再生モード」、カメラ内電源をＯＦＦにする「ＯＦＦモード」に交互に設定される。
【００２３】
図２に示すように、カメラ１０の背面には画像表示部２８が設けられる。この表示部２８は、例えば、液晶ディスプレイ（ＬＣＤ）で構成され、カメラ筐体１６の大きさに対して可能な限り大画面のものが用いられる。特に、グリップ部１８の裏側まで画像表示部（以下の説明では、液晶モニタと記載する）２８の画面が占める程の大画面ＬＣＤが採用される。そして、この液晶モニタ２８の前面には光透過性を有するタッチパネル（図３の符号３０）が配設される。ユーザはこのタッチパネル３０によりカメラ１０に操作入力を行うことができる。
【００２４】
本実施形態のカメラ１０において、グリップ部１８及びレリーズスイッチ２０にユーザの指が触れたことを検出するタッチセンサ３２が配設される。なお、タッチセンサ３２による指の検出方式としては、抵抗膜式や静電容量式、超音波式、光学式等の各種手段を用いることができる。
【００２５】
図３は、カメラ１０の内部構造を示すブロック図である。同図に示すように、ＣＰＵ５０は、バス５２を介してカメラ１０の各ブロックに接続されており、上記したタッチパネル３０及び操作スイッチ５４からの操作入力に基づいて各ブロックを統括制御する。
【００２６】
操作スイッチ５４は、上記したレリーズスイッチ２０やコマ送り／コマ戻しボタン２２、電源スイッチ２６を含み、カメラ１０に操作入力を行うためのブロックである。なお、レリーズスイッチ２０は、２段階に構成されており、「半押し」によりＳ１＝ＯＮ信号が発生し、「全押し」によりＳ２＝ＯＮ信号が発生する。発生したＳ１＝ＯＮ信号及びＳ２＝ＯＮ信号はＣＰＵ５０に入力され、ＣＰＵ５０はこのＳ１＝ＯＮ信号とＳ２＝ＯＮ信号によりレリーズスイッチ２０の押下状態を検出する。
【００２７】
ＥＥＰＲＯＭ５６には、カメラ１０の制御プログラムや制御に必要な各種の設定データ等が格納されている。電源回路５８は、カメラ１０の各ブロックに電源を供給する。
【００２８】
ストロボ２４は、ＣＰＵ５０からのストロボ発光命令に基づきストロボ発光回路６０により発光制御される。
【００２９】
カメラ１０は、撮像手段として、撮影レンズ１４、アイリス（絞り）６２、撮像素子（ＣＣＤ）６４を備える。撮影レンズ１４のフォーカシングは、撮影レンズ１４を構成するフォーカスレンズをフォーカスモータ６６によって移動させることにより行われ、ズーミングは、撮影レンズ１４を構成するズームレンズをズームモータ６８で移動させることにより行われる。フォーカスモータ６６とズームモータ６８は、それぞれフォーカスモータドライバ７０とズームモータドライバ７２により駆動制御される。ＣＰＵ５０は、このフォーカスモータドライバ７０とズームモータドライバ７２に制御信号を出力して制御する。
【００３０】
絞り６２は、いわゆるターレット型絞りで構成されており、Ｆ２．８からＦ８の絞り孔が穿孔されたターレット板を回転させて絞り値（Ｆ値）を変化させる。この絞り６２の駆動はアイリスモータ７４によって行なわれる。アイリスモータ７４はアイリスモータドライバ７６により駆動制御される。ＣＰＵ５０は、このアイリスモータドライバ７６に制御信号を出力して制御する。
【００３１】
被写体を示す画像光は、撮影レンズ１４及び絞り６２を介してＣＣＤ６４の受光面上に結像される。ＣＣＤ６４の受光面には、多数のフォトセンサが配列されており、この受光面に結像された被写体の光学像は、各フォトセンサによって入射光量に応じた量の信号電荷に変換される。各フォトセンサに蓄積された信号電荷は、タイミングジェネレータ（ＴＧ）７８から与えられるタイミングパルスに従って順次読み出され、信号電荷に応じた電圧信号としてアナログ信号処理回路８０に出力される。
【００３２】
なお、このＣＣＤ６４には電荷掃き出しドレインが備えられており、この電荷掃き出しドレインに各フォトセンサに蓄積された信号電荷を掃き出すことにより、各フォトセンサに蓄積される信号電荷の蓄積時間（シャッタ速度）が制御される。
【００３３】
アナログ信号処理回路８０は、相関二重サンプリング処理回路（ＣＤＳ）及び増幅器（ＡＭＰ）を含んでいる。ＣＣＤ６４から順次読み出された電圧信号は、アナログ信号処理回路８０によって画素ごとのＲ、Ｇ、Ｂ信号がサンプリングホールドされて増幅され、Ａ／Ｄ変換器８２に加えられる。
【００３４】
Ａ／Ｄ変換器８２は、順次入力されるアナログのＲ、Ｇ、Ｂ信号をデジタルのＲ、Ｇ、Ｂ信号に変換して出力し、Ａ／Ｄ変換器８２から出力されたデジタルのＲ、Ｇ、Ｂ信号は画像入力コントローラ８４を介してメモリ（ＳＤＲＡＭ）８６に一時格納される。そして、このＲ、Ｇ、Ｂ信号はこのＳＤＲＡＭ８６から画像信号処理回路８８に出力される。
【００３５】
画像信号処理回路８８は、入力された画像信号に対して、オフセット処理、ホワイトバランス補正及び感度補正を含むゲイン・コントロール処理、ガンマ補正処理等の所定の信号処理を行い、その処理後の画像データをＶＲＡＭ９０に出力する。
【００３６】
ＶＲＡＭ９０には、それぞれ１コマ分の画像データが記憶可能なＡ領域とＢ領域（図示せず）とが含まれており、このＡ領域とＢ領域とに１コマ分の画像データが交互に書き換えられる。そして、書き換えられた画像データが交互に読み出される。
【００３７】
ＶＲＡＭ９０から読み出された画像データは、ビデオエンコーダ９２によりエンコーディングされ、カメラ１０の液晶モニタ２８に出力される。液晶モニタ２８は、液晶駆動回路９４によって制御され、バックライトユニット９６により液晶モニタ２８の裏面（図２参照）から照明される。ユーザは、この液晶モニタ２８に表示された画像（スルー画像）をもとに構図を決定し、ピント状態を確認する。
【００３８】
さて、上記の撮影モードの下、レリーズスイッチ２０が半押し（Ｓ１＝ＯＮ）されると、自動露出調整（ＡＥ）、及びオートフォーカス（ＡＦ）が作動する。すなわち、Ａ／Ｄ変換器８２から出力される画像データが、画像入力コントローラ８４を介してＡＥ・ＡＷＢ検出回路９８並びにＡＦ検出回路１００に入力される。
【００３９】
ＡＥ・ＡＷＢ検出回路９８は、例えば、撮像領域を６４分割（水平８、垂直８）して得られる分割領域ごとにＲ、Ｇ、Ｂの画像データをＲ、Ｇ、Ｂごとに積算し、分割領域ごとのＲ、Ｇ、Ｂごとの積算データをＣＰＵ５０に出力する。
【００４０】
ＡＦ検出回路１００は、あらかじめ設定された特定のフォーカスエリア（たとえば、撮像領域の中央）内における画像のコントラストあらわすコントラスト評価値を算出し、そのコントラスト評価値をＣＰＵ５０に出力する。
【００４１】
ＣＰＵ５０は、ＡＦ検出回路１００から入力されたコントラスト情報に基づいてフォーカスモータドライバ７０に制御信号を出力し、撮影レンズ１４をＡＦ制御して、主要被写体にピントを合わせる。
【００４２】
また、ＣＰＵ５０は、ＡＥ・ＡＷＢ検出回路９８から入力された積算データに基づいて被写体の明るさ（ＥＶ値）を算出し、このＥＶ値に基づいて絞り６２の絞り値（Ｆ値）及びＣＣＤ６４のシャッタ速度（電荷蓄積時間）を決定する。
【００４３】
ＡＥ及びＡＦが完了し、レリーズスイッチ２０が全押し（Ｓ２＝ＯＮ）されると、ＣＰＵ５０は、決定した絞り値（Ｆ値）に基づいてアイリスモータドライバ７６に駆動信号を出力し、決定した絞り値（Ｆ値）の絞り径となるように絞り６２を駆動制御するとともに、決定したシャッタ速度となるようにＣＣＤ６４の電荷蓄積時間を制御する。
【００４４】
このようにして、取り込まれた１コマ分の画像データは、アナログ信号処理回路８０、Ａ／Ｄ変換器８２を介して画像入力コントローラ８４からＳＤＲＡＭ８６に入力され、ここに一時的に記憶される。そして、ＳＤＲＡＭ８６から画像信号処理回路８８に読み出され、ここで輝度データ及び色差データの生成処理（ＹＣ処理）を含む所定の信号処理が行われる。
【００４５】
信号処理後の画像データは、一旦ＳＤＲＡＭ８６に記憶されたのち、圧縮伸張処理回路１０２に出力され、ここでＪＰＥＧ（Joint Photographic Experts Group）等の所定の圧縮処理が実行される。そして、画像データは再びＳＤＲＡＭ８６に一時的に格納されたのち、メモリコントローラ１０４によって読み出され、カードスロットに装着された記録メディア１０６に記録される。なお、画像データの記録形式はＪＰＥＧ方式に限定されず、ＭＰＥＧその他の記録方式を採用してもよい。また、画像データを保存するための手段は、記録メディア１０６に代表される半導体メモリに限定されず、磁気ディスク、光ディスク、光磁気ディスクなど、種々の媒体を用いることができる。また、これらのリムーバブルメディアに限らず、カメラ１０に内蔵された記録媒体（内部メモリ）に画像データが記録されるようにしてもよい。
【００４６】
このようにして撮影、記録された画像データは、電源スイッチ２６が操作され、カメラ１０の動作モードが再生モードに設定されると、液晶モニタ２８上に再生表示される。再生モード時には、記録メディア１０６に記録されている画像データがＳＤＲＡＭ８６に読み出され、ＳＤＲＡＭ８６から圧縮伸張処理回路１０２に出力される。そして、圧縮伸張処理回路１０２で伸張処理が施され、処理後の画像データがＳＤＲＡＭ８６に一時格納されたのち、ビデオエンコーダ９２を介して液晶モニタ２８に出力される。これにより、記録メディア１０６に記録されている画像データが液晶モニタ２８上に再生表示される。ユーザはコマ送り／コマ戻しボタン２２を操作することにより、再生画像のコマ送りやコマ戻しを行うことができる。
【００４７】
また、再生モード時に、パーソナルコンピュータやテレビ等の外部ディスプレイがビデオ入出力端子１０８を介してカメラ１０に接続されている場合には、記録メディア１０６に記録されている画像データはビデオ出力回路１１０により処理されて、この外部ディスプレイに再生表示される。
【００４８】
また、カメラ１０は、外部接続インターフェース部（Ｉ／Ｆ）１１２により図示せぬクレードルを介してパーソナルコンピュータ等の外部機器に接続される。
【００４９】
次に、上記の液晶モニタ２８における画像表示領域の制御方法について説明する。図４は本実施形態に係る画像表示領域の制御方法を模式的に示す図であり、図５は本実施形態に係る画像表示領域の制御方法を示すフローチャートである。まず、ユーザによってカメラ１０が把持されると、グリップ部１８又はレリーズスイッチ２０に配設されたタッチセンサ３２によって、ユーザによって把持されたことが検出される（ステップＳ１０）。すると、図４に示すように、液晶モニタ２８においてグリップ部１８の裏側にあたる部分（すなわち、グリップ部１８が把持されたときにユーザの指があたる部分）に重ならないように、画像表示領域１１４が変更される（ステップＳ１２）。これにより、液晶モニタ２８に表示される画像がユーザの手や指によって隠されてしまうことを防止でき、画像の視認性が向上する。
【００５０】
なお、ステップＳ１２においては、画像の縦横の長さの比を変更しないようにして、画像表示領域１１４の上下の何も表示されていない空き領域に、タッチ操作により操作可能な各種操作ボタン１１６が表示されるようにしてもよい。
【００５１】
次に、上記の液晶モニタ２８における画像表示領域の制御方法について説明する。図６は、画像表示領域の制御方法の別の例を示すフローチャートである。まず、ユーザによってカメラ１０が把持されると、グリップ部１８又はレリーズスイッチ２０に配設されたタッチセンサ３２によって、ユーザによって把持されたことが検出される（ステップＳ２０）。タッチパネル３０によってユーザの指が触れていることが検出されると（ステップＳ２２）、タッチパネル３０によって検出されたユーザの指が触れている部分（接触部位）と重ならないように、画像表示領域１１４が変更される（ステップＳ２４）。ステップＳ２４においては、液晶モニタ２８の何も表示されていない空き領域に各種操作ボタン１１６が表示されるようにしてもよい。なお、この各種操作ボタン１１６も上記の接触部位と重ならない位置に表示される。
【００５２】
この例によれば、例えば、図７に示すように、ユーザの指がグリップ部１８の裏側以外の部分に触れた場合にも液晶モニタ２８に表示される画像がユーザの手や指によって隠されてしまうことを防止でき、画像の視認性が向上する。
【００５３】
次に、カメラ１０が把持された場合のタッチパネル３０の制御方法について、図８を参照して説明する。図８は、タッチパネル３０の制御方法を示すフローチャートである。まず、ユーザによってカメラ１０が把持されると、グリップ部１８又はレリーズスイッチ２０に配設されたタッチセンサ３２によって、ユーザによって把持されたことが検出される（ステップＳ３０）。すると、タッチパネル３０からの操作入力が無効化される（ステップＳ３２）。この例によれば、カメラ１０が把持された場合に、ユーザの指が誤ってタッチパネル３０に触れてしまうことによる誤動作を防止できる。
【００５４】
次に、カメラ１０がクレードルに接続された場合の処理の流れについて、図９を参照して説明する。図９は、カメラ１０がクレードルに接続された場合の処理の流れを示すフローチャートである。まず、ＣＰＵ５０によってカメラ１０が外部接続Ｉ／Ｆ１１２を介してクレードルに接続されたことが検出されると（ステップＳ５０）、タッチパネル３０からの操作入力が有効化される（ステップＳ５２）。そして、ステップＳ５２において、カメラ１０のモードが自動的に再生モードに変更されて、記録メディア１０６から画像データが読み出され、液晶モニタ２８にサムネイル表示される。ユーザは、このサムネイル画像にタッチすることにより、画像の選択や拡大表示、クレードルを介したパーソナルコンピュータ等の外部機器への転送を行うことができる。
【図面の簡単な説明】
【００５５】
【図１】本発明の一実施形態に係る撮像装置の正面の外観図
【図２】本発明の一実施形態に係る撮像装置の背面の外観図
【図３】本発明の一実施形態に係る撮像装置の内部構造を示すブロック図
【図４】本発明の一実施形態に係る画像表示領域の制御方法を模式的に示す図
【図５】本発明の一実施形態に係る画像表示領域の制御方法を示すフローチャート
【図６】画像表示領域の制御方法の別の例を示すフローチャート
【図７】本発明の一実施形態に係る画像表示領域の制御方法を模式的に示す図
【図８】タッチパネル３０の制御方法を示すフローチャート
【図９】カメラ１０がクレードルに接続された場合の処理の流れを示すフローチャート
【符号の説明】
【００５６】
１０…撮像装置（カメラ）、１２…撮像部、１４…撮影レンズ、１６…カメラ筐体、１８…グリップ部、２０…レリーズスイッチ、２２…コマ送り／コマ戻しボタン、２４…ストロボ（補助発光部）、２６…電源スイッチ、２８…画像表示部（液晶モニタ）、３０…タッチパネル、３２…タッチセンサ、５０…ＣＰＵ、５２…バス、５４…操作スイッチ、５６…ＥＥＰＲＯＭ、５８…電源回路、６０…ストロボ発光回路、６２…アイリス（絞り）、６４…撮像素子（ＣＣＤ）、６６…フォーカスモータ、６８…ズームモータ、７０…フォーカスモータドライバ、７２…ズームモータドライバ、７４…アイリスモータ、７６…アイリスモータドライバ、７８…タイミングジェネレータ（ＴＧ）、８０…アナログ信号処理回路、８２…Ａ／Ｄ変換器、８４…画像入力コントローラ、８６…メモリ（ＳＤＲＡＭ）、８８…画像信号処理回路、９０…ＶＲＡＭ、９２…ビデオエンコーダ、９４…液晶駆動回路、９６…バックライトユニット、９８…ＡＥ・ＡＷＢ検出回路、１００…ＡＦ検出回路、１０２…圧縮伸張処理回路、１０４…メモリコントローラ、１０６…記録メディア、１０８…ビデオ入出力端子、１１０…ビデオ出力回路、１１２…外部接続インターフェース部（Ｉ／Ｆ）、１１４…画像表示領域、１１６…各種操作ボタン
【図１】
2007028512.tif 000003
【図２】
2007028512.tif 000004
【図３】
2007028512.tif 000005
【図４】
2007028512.tif 000006
【図５】
2007028512.tif 000007
【図６】
2007028512.tif 000008
【図７】
2007028512.tif 000009
【図８】
2007028512.tif 000010
【図９】
2007028512.tif 000011